(57)【要約】【課題】分解できる栓の組み立て不備なく安全使用でき保温性も高められるようにする。【解決手段】断熱構造のボトル本体１、その口部１ａに着脱可能に装着されて施栓状態とし、内容液を流入させて注ぎ口から注ぎ出す導出部１３と、その流入口１３ｂを閉じる弁体１４とを有した外栓１１、これに着脱できるように装着される内栓１２と、内栓１２を外栓への装着状態に係止する係止部２１ｃ、および、弁体１４を開き操作する操作部２１ｂと、ボトル本体１の口部１ａ外側に上方から着脱できるように装着されて内栓１２、外栓１１およびそれらの装備部材を覆うコップ状のキャップ６と、を備え、弁体１４は閉じ習性を持ち操作部２１ｂにより開き操作されて開き位置に保持され、浮いた内栓１２、開いた弁体１４は、キャップ６の装着による押し込み、閉じが、一方だけの場合、双方の場合にいずれでもなされるようようにする。【選択図】図２
2010100343.tif 000002
【特許請求の範囲】
【請求項１】
断熱構造を有したボトル本体と、このボトル本体の口部に上方から着脱できるように装着され、ボトル本体内から内容液を流入させて注ぎ口から外部に注ぎ出す導出部、および、この導出部の流入口を閉じる弁体を有して、前記口部を施栓状態とする外栓と、この外栓に着脱できるように装着される内栓と、この内栓を外栓への装着状態に係止する係止部、および、弁体を開き操作する操作部と、ボトル本体の口部外側に上方から着脱できるように装着されて内栓、外栓およびそれらの装備部材を覆うコップ状のキャップと、を備え、弁体および蓋は閉じ習性を持ち操作部により開き操作されると共にその開き位置に保持され、内栓が外栓への装着位置から浮いている場合に、キャップの装着によって外栓への装着位置まで押し込まれ、弁体が開き位置の場合に、キャップの装着によって閉じ位置まで戻され、これら双方の場合には、内栓の外栓への押し込みと、弁体の開き位置から閉じ位置への戻りを、キャップの１回の装着によって行うようにしたことを特徴とする保温ボトル。
【発明の詳細な説明】
【技術分野】
【０００１】
本発明は、断熱構造を有したボトル本体の口部に栓を施し、かつその外側を口部の装着したカップ状のキャップで覆って内容液を保温し、キャップを外した状態での栓外からの開き操作によって栓を開き内容液を注ぎ出せるようにする保温ボトルに関するものである。
【背景技術】
【０００２】
このような保温ボトルで、断熱構造を有したボトル本体の口部に内容液の導出路をなす筒状の栓体を装着し、その導出路の中央に導出路の下端の内容液の流入口を閉じる弁体を支持し、栓の上端に導出路からの内容液を外部に注ぎ出す注ぎ口を持った蓋体を着脱できるように装着し、この蓋体にこの蓋体を栓体への装着状態に係止する係止部材と、前記注ぎ口を開くのと同時に閉じ習性を持った弁体を下方に押し開く操作部材とを設けた栓構造を有したものが知られている（特許文献１）。前記係止部材は蓋体外周部の相対向する直径線上２箇所に設けられ、下部が蓋体に枢支され、上端に蓋体の上面に位置する上向きの操作片と途中に栓体に係合して前記係止を行う係合部とを持ったレバー部と、このレバー部の下部から延びてレバー部を係合部が栓体に係合する側に付勢する樹脂ばね部とを有し、操作片を蓋上で中心側に移動させるスライド操作によって前記係合が外れて蓋体の栓体への係止を解除するようになっている。また、操作部材は蓋体にこの蓋体の上面に露出するように枢支されたレバーよりなり、尾端の操作片を蓋体への押し込み側に回動操作することにより、蓋体の注ぎ口閉じ部を上方へ開くのと同時に前記弁体を下方へ押し開き、共に開き位置に安定するカムを尾端部に有している。
【０００３】
これにより、操作部材を開き操作すると栓体は開き状態となって安定し、ボトル本体を注ぎ口側に傾けることにより内容液が栓体内の導出路にその流入口から流入して上端に向かい、蓋体の注ぎ口を通じて外部に注ぎ出せる。また、内容液の注ぎ出し後、操作部材の上方に開いている注ぎ口閉じ部を閉じ側に押動することにより、弁と共に閉じ位置に自動復帰させられる。万一、閉じ操作を忘れてキャップを装着しても操作部材は開き位置にある注ぎ口閉じ部を押動されて閉じ位置に自動復帰することができ、内容液が漏れ出すようなことを回避することができる。さらに、係止部材をその操作片の蓋体上面でのスライド操作によって係止解除すると蓋体を栓体から取り外せるので、栓体および蓋体の双方を丸洗いなどすることができ清潔に保ちやすい。
【先行技術文献】
【特許文献】
【０００４】
【特許文献１】特開２００３−１４４３３８号公報
【発明の概要】
【発明が解決しようとする課題】
【０００５】
しかし、特許文献１に記載の保温ボトルでは、ボトル本体の口部に装着される大きな径の内側全体を内容液の導出路としており、その大きな下端開口と上端開口とを弁と蓋体とで閉じるだけの単純な一重構造であるので、ボトル本体内の熱が栓を通して上部に逃げやすく保温性の低いものとなる。また、内容液が多いほど栓体内の広域を通るので弁支持部や操作部材などに乱されやすく、蓋体の注ぎ口によって流れが最終的に絞られるものの乱れは抑え切れず乱れたまま注ぎ出されやすい問題がある。さらに、係止部材の操作片は蓋体の直径線上２箇所に位置しながら蓋体上で上面の滑り止めを利用してスライド操作させるものであるため、親指と人差し指や薬指などの対向する指どうしで個別に同時操作するには操作しにくい上、つまむには不向きで、操作部を利用して係止解除操作に連続して係
止解除状態の蓋体を取り外しを連続して行うのは困難であり、使用しにくい。
【０００６】
本発明は、上記の問題に鑑み、分解できる栓の組み立て不備なく安全使用でき保温性も高められる保温ボトルを提供することを課題としている。
【課題を解決するための手段】
【０００７】
上記の目的を達成するために、本発明の保温ボトルは、断熱構造を有したボトル本体と、このボトル本体の口部に上方から着脱できるように装着され、ボトル本体内から内容液を流入させて注ぎ口から外部に注ぎ出す導出部、および、この導出部の流入口を閉じる弁体を有して、前記口部を施栓状態とする外栓と、この外栓に着脱できるように装着される内栓と、この内栓を外栓への装着状態に係止する係止部、および、弁体を開き操作する操作部と、ボトル本体の口部外側に上方から着脱できるように装着されて内栓、外栓およびそれらの装備部材を覆うコップ状のキャップと、を備え、弁体および蓋は閉じ習性を持ち操作部により開き操作されると共にその開き位置に保持され、内栓が外栓への装着位置から浮いている場合に、キャップの装着によって外栓への装着位置まで押し込まれ、弁体が開き位置の場合に、キャップの装着によって閉じ位置まで戻され、これら双方の場合には、内栓の外栓への押し込みと、弁体の開き位置から閉じ位置への戻りを、キャップの１回の装着によって行うようにしたことを特徴としている。
【０００８】
このような構成では、ボトル本体の口部はそれに着脱できるように装着した外栓自体が導出部とこの導出部の内容液の流入口を閉じる弁体とを有して施栓状態とし、外栓に着脱できるように装着した内栓が外栓への係止を伴い外栓を安定な施栓状態とするが、互いが分離して丸洗いできる関係から内栓の外栓への装着に不備があって浮いている場合に、ボトル本休の口部にキャップが装着されると外栓への装着位置まで押し込まれて外栓を施栓状態とし、また、弁体が開き位置の場合に、キャップの装着によって閉じ位置まで戻し、これら双方の場合には、内栓の外栓への押し込みと、弁体の開き位置から閉じ位置への戻りを、キャップの１回の装着によって行うようので、その後キャップが取り外されても内容液が漏れ出ることはない。
【０００９】
前記別の特徴の場合に加え、さらに、蓋の当接関係部は、内栓の当接関係部よりもキャップ側に位置する
ことをさらなる特徴とするものとすることができる。
【００１０】
蓋は、閉じ位置で操作つまみ部の当接関係部よりも反キャップ側に位置するものとすることができる。
【００１１】
弁体は、外栓の底部に開口する導出室の流入口と、外気導入口とを、外栓の下端との間で閉じ、内栓は、操作室に上方から入り込む底部を有し、外気導入口は、外栓の周壁に設けた外気導入口から、前記周壁とボトルの口部内周との間の隙間を通じて外気を導入するようにしたものとすることができる。
【発明の効果】
【００１２】
本発明の保温ボトルの特徴によれば、ボトル本体の口部はそれに着脱できるように装着した外栓自体が導出部とこの導出部の内容液の流入口を閉じる弁体とを有して施栓状態とし、外栓に着脱できるように装着した内栓が外栓への係止を伴い外栓を安定な施栓状態とするが、互いが分離して丸洗いできる関係から内栓の外栓への装着に不備があって浮いている場合に、ボトル本休の口部にキャップが装着されると外栓への装着位置まで押し込まれて外栓を施栓状態とし、また、弁体が開き位置の場合に、キャップの装着によって閉じ位置まで戻し、これら双方の場合には、内栓の外栓への押し込みと、弁体の開き位置から閉じ位置への戻りを、キャップの１回の装着によって行うようので、その後キャップが取
り外されても内容液が不用意に漏れ出ることはない。
【図面の簡単な説明】
【００１３】
【図１】本発明の実施の形態に係る保温ボトルを示す断面図である。
【図２】図１のボトル向きを代えて見た要部の断面図である。
【図３】図１のボトルの栓を示す分解斜視図である。
【図４】図１のボトルの栓の開閉状態を示す各断面図である。
【発明を実施するための形態】
【００１４】
以下、本発明の実施の形態に係る保温ボトルについて図１〜図４を参照しながら説明し、本発明の理解に供する。しかし、以下の説明は本発明の具体例であって、特許請求の範囲の記載の内容を限定するものではない。
【００１５】
本実施の形態の保温ボトルは、図１に示すように、内、外壁がステンレス製でそれらの間に真空断熱空間２を有した金属製のボトル本体１と、このボトル本体１の口部１ａの内壁に形成した雌ねじ７に雄ねじ８を上方からねじ合わせて着脱できるように装着される合成樹脂製の栓３と、ボトル本体１の口部１ａの外壁に形成した雄ねじ４に雌ねじ５を上方からねじ合わせて着脱できるように装着され栓３の外まわりを覆うコップ状で合成樹脂製のキャップ６とを備え、キャップ６を上方へ取り外して栓３を開き操作することにより内溶液をキャップ６などに注ぎ出し飲料や使用に供することができ、取り外したキャップ６はそのまま、ボトル本体１および栓３は栓３をボトル本体１から上方へ取り外すことにより、それぞれを丸洗いすることができる。しかし、ボトル本体１の具体的な断熱構造や栓３、キャップ６の着脱構造やそれぞれの部材の材質は本発明において特に限定されるものではない。
【００１６】
キャップ６は図１、図２に示すように内溶液を受け入れて飲みやすくするために取っ手６ａを有したものとし、取っ手６ａはキャップ６の一側に一体成形している。栓３は図１、図２に示すように、ボトル本体１の口部１ａに前記雌ねじ７と雄ねじ８とのねじ合わせにより上方から着脱できるように装着されて施栓状態となる有底形状をした外栓１１と、この外栓１１に上方から着脱できるように装着されて施栓状態となる有底形状をした内栓１２とによる二重栓構造をなしている。
【００１７】
外栓１１はボトル本体１に装着されて内容液を流入させて図１に示す注ぎ口１３ａから外部に注ぎ出す導出室１３、および、この導出室１３に隣接し導出室１３の図１に示す流入口１３ｂを閉じる弁体１４を装備した操作室１５を有して、前記口部１ａに対する図１、図２、図４（ａ）に示すような施栓状態とする。内栓１２は外栓１１の操作室１５に上方から嵌め合わせて着脱できるように装着され操作室１５の上端部に対する図１、図２、図４（ａ）（ｂ）に示すような施栓状態となり、かつ、導出室１３の上端の注ぎ口１３ａを閉じる蓋１６を有している。内栓１２には、内栓１２を外栓１１への装着状態に係止する図２、図３、図４に示すような係止部材２１、および、内栓１２外から操作室１５に臨んで弁体１４および蓋１６を操作する図１、図３、図４（ａ）（ｂ）に示すような操作部材２２とが設けられ、キャップ６と内栓１２とは、内栓１２が外栓１１への装着位置から浮いている場合に、キャップ６の装着によって外栓１１への装着位置まで直接または間接に押し込まれ、装着位置に係止される図２に示すような当接関係部Ｐを有している。
【００１８】
これにより、ボトル本体１の口部１ａはそれに上方から着脱できるように装着した外栓１１自体が導出室１３とこの導出室１３の内容液の流入口１３ｂを閉じる弁体１４とを有して図１、図２、図４（ａ）（ｂ）に示すような施栓状態とし、外栓１１に上方から着脱できるように装着した内栓１２が導出室１３の注ぎ口１３ａを閉じる蓋１６を有して導出室１３に隣接した操作室１５の上端部を図１、図４（ｂ）に示すような施栓状態とするが
、図３に示すように互いが分離して丸洗いできる関係から内栓１２の外栓１１への装着に不備があって図２に仮想線で示すように浮いている場合でも、ボトル本体１の口部１ａにキャップ６が装着されると内栓１２との図２に示すような当接関係部Ｐによって内栓１２は外栓１１への装着位置まで押し込まれて外栓１１の操作室１５の上端部を図１、図２、図４（ａ）に示すような施栓状態とするので、二重の施栓状態が保証される。この結果、その後キャップ６が取り外されても内容液が不用意に漏れ出ることはなく、安全使用することができる。また、内、外栓１１、１２間が導出室１３と操作室１５との２空間に区画されているので空気の滞留を抑えやすいし、操作室１５は内栓１２による施栓状態に保たれて熱を上方へ逃がし難い上、導出室１３は内溶液を注ぎ出す都度図４（ｂ）に示すように開かれるが、内容液を注ぎ出せる大きさがあればよく開閉による熱の放出を最小限に抑えられ、断熱構造を有したボトル本体１と共に保温性を高められる。
【００１９】
要するに、内容液の注ぎ出し時に開かれるが比較的小さくして断熱性の低下を抑えやすい導出室１３と導出室１３以外の領域を占めて二重の施栓状態に常閉される断熱性の高い操作室１５とに区切る内、外栓１１、１２の二重栓構造によってボトル本体１の口部１ａを断熱性よく閉じて保温性を高められるし、丸洗いできる分離構造上内栓１２の外栓１１への装着に不備があっても図２に示すように装着されるキャップ６との当接関係部Ｐにて外栓１１に対し施栓状態とされ、その後キャップ６が取り外されても内容液が不用意に漏れ出ず安全使用できる。
【００２０】
さらに、弁体１４および蓋１６は図１、図２、図４（ａ）（ｂ）に例示するような弁体１４に働かせたばね２３などによる閉じ習性を持ち操作部材２２により図４（ｂ）に示すように上方へ開き操作されると共にその開き位置に保持され、キャップ６と内栓１２とは、内栓１２が外栓１１への装着位置から浮いている場合に、キャップ６の装着によって外栓１１への装着位置まで直接または間接に押し込まれ、装着位置に係止される図２に示すような当接関係部Ｐを有しているのに加え、キャップ６と蓋１６とは、蓋１６が図４（ｂ）に示す開き位置にあるとき図４（ｂ）に破線で示す当接開始位置を経て仮想線で示す位置へのキャップ６の装着によって開き位置への保持を外される当接関係部Ｑを有したものとしている。これにより、装着したキャップ６により内栓１２の外栓１１への施栓状態を確保するのに併せ、内栓１２の蓋１６が開かれたままであった場合でも、キャップ６により開き位置への保持を外されて弁体１４と共に閉じるので、その後キャップ６を取り外されても蓋１６が弁体１４と共に開き位置に保持される機能に関連して内溶液が不用意に漏れ出るようなことを防止することができ、より安全に使用できる。
【００２１】
また、導出室１３がその底部１３ｃに流入口１３ｂを有し、操作室１５がその底部１５ａに前記弁体１４を支持している。具体的には、導出室１３はその胴部一杯に注ぎ口１３ａが上端に開口しているのに対し、流入口１３ｂが底部１３ｃに流入口１３ｂよりも小さく開口する関係となっている。また、操作室１５は底部１５ａの中央部に弁体１４の弁棒１４ａを下方から挿通して上下習動できるように支持する筒部１５ｂを有し、弁棒１４ａの筒部１５ｂの上に突出する部分のくびれ部１４ｃに弾性係合させたばね受け２４と操作室１５の底部１５ａとの間に前記ばね２３を働かせて、弁体１４に閉じ習性を与えている。このように操作室１５は有底であることにより常時密閉空間となって断熱性が高まり、導出室１３は流入口１３ｂを有するものの有底であることにより、開かれても熱の逃げを抑えやすくなるので、保温性が向上する。
【００２２】
さらに、係止部材２１は図１、図４（ａ）（ｂ）に示すように、下部が内栓１２に軸２１ａで枢支され、かつ上部に操作部２１ｂを途中に外栓１１の係止部２９に弾性係合する係合部２１ｃを持ち、外栓１１への係合側に図１、図４（ａ）（ｂ）に示すような樹脂ばね部２６などによって付勢されたレバー部２７を有し、このレバー部２７は、軸２１ａによる枢支部を含む全体が内栓１２との間に図２に示すような前記直径線方向Xでの遊びＳ
が周壁４１ｄと内側ガイド壁４１ｅとの間に設けられている。このように、係止部材２１はそのレバー部２７が下部を軸２１ａで内栓１２に枢支され上部に操作部２１ｂを有し途中に外栓１１への係合部２１ｃを持っていることにより、係合部２１ｃの軸２１ａによる枢支部を中心とした外栓１１への係合、係合解除のストロークよりも、操作部２１ｂの枢支部を中心とした係合、係合解除のストロークおよびレバー比を同じ方向であるが大きくしてより操作しやすくしながら、操作部２１ｂによる図２、図３に示すようなレバー部２７の内側方向Ｙへの係合解除操作に対し、レバー部２７に外栓１１への係合方向に働く樹脂ばね部２６などによる付勢力によってレバー部２７の軸２１ａによる枢支部が内栓１２との間の遊びがなくなる位置へ図２に示す矢印Ｗの方向に押し付けられて安定し、以降操作つまみ部２１ｂの前記Ｙ方向への係合解除操作によりレバー部２７が軸２１ａによる枢支部をラフな中心として拗れなく内側方向Ｙに向けスムーズに回動されて係合部２１ｃが外栓１１の図２、図３に示すような係止部２９から確実に外れ、係合解除状態とすることができる。
【００２３】
また、係止部材２１は図２、図３に示すように、外栓１１の周壁１１ｂに設けた窓１１ｃを通じ前記周壁１１ｂの外側に嵌め付けられた外筒３１に設けた係止部２９に係合して内栓１２を外栓１１への装着位置に係止するようにしている。これにより、係止部材２１は内栓１２側から外栓１１の周壁１１ｂを経てその外側の外筒３１の係止部２９まで延びて係合するので、係合部２１ｃの係止部２９への係合、係合解除のストロークを大きくとれるので、その分小さな係合力で充分な係止機能が確保でき係合解除操作が楽に行えると共に、ストロークの大きさによって係合、係合解除の状態が意識されやすく、操作忘れや誤操作が生じにくくなる。ここで、外筒３１はボトル本体１の口部１ａの内壁にねじ合わせた外栓１１の周壁１１ｂの上端部外周に無理嵌め部３０や接着、超音波溶着などして取り付けられて、口部１ａの上端を経て外側に回り込み、口部１ａを覆っている。しかし、外筒３１は外栓１１の周壁１１ｂに一体成形されてもよいし、外栓１１を口部１ａの外周にねじ合わせて装着する部分としてもよい。
【００２４】
外栓１１は口部１ａにねじ合わせて装着されることで、下端部に装着しているシールパッキン３２が口部１ａの内壁奥に形成している上向き段部３３に圧着して口部１ａを密栓できるようにしてあり、弁体１４はこのシールパッキン３２に下から圧着して導出室１３の流入口１３ｂを間接的に閉じるようにしてあるが、流入口１３ｂを直接閉じるようにしてもよい。しかし、弁体１４がシールパッキン３２に圧着する閉じ構造は口部１ａの内側に嵌り合って臨む栓３の底部３ａの全域、つまり導出室底部１３ｃ、操作室底部１５ａの全体を密閉することになり、弁体１４が開かれない限り内溶液が漏れ出ることはない。しかも、弁棒１４ａの基部にはそれが挿通される操作室底部１５ａの筒部１５ｂの内周に、弁体１４の開閉にかかわらず図４（ａ）（ｂ）に示すように密接するシールパッキン３４が装着されて、弁体１４と協働して二重のシール構造をなしている。もっとも、シールパッキン３４によるシールは栓３の底部３ａにおける中央位置にあり、ボトル本体１を前部、つまり導出室１３が設けられる偏心側に傾けて内容液を注ぎ出す際に内容液が及びやすい範囲であることにより配慮したもので、内溶液が及ばない反注ぎ出し側はこのようなシールの配慮は要らない。そこで、反注ぎ出し側にある操作室１５の底部１５ａのさらに反注ぎ出し側の部分に外気導入口３５を設け、外栓１１の周壁１１ｂの反注ぎ出し側に設けた外気導入口３６、および外栓１１と口部１ａの内周とのねじ合わせ部の図２に示すような隙間３７を通じた外気の導入を図ることにより、導出室１３が保温上限られた大きさに設定されても内容液の注ぎ出しがスムーズに行われるようにしている。しかも、栓３の底部３ａの外気導入口３５は弁体１４が閉じられている非注ぎ出し時は導出室１３の流入口１３ｂと共に閉じられるので、熱の放出や内容液の漏れ出しの原因にはならない。
【００２５】
また、内栓１２は図１、図２、図３、図４（ａ）（ｂ）に示すように、上端が開口した容器型の本体部４１とこの本体部４１の上端開口部に無理嵌め部４０などにより取り付け
られた蓋部４２とによる中空構造としてある。これにより、二重の施栓構造となる操作室１５が内栓１２の中空構造と相まって上下に二重の密閉空間を形成してさらに熱の逃げを防止するので保温性をさらに高められる。
【００２６】
また、係止部材２１は図２、図３に示すように、内栓１２の外周部の相対向する直径線Ｘ上の２箇所に１対設けられて、内栓１２の外栓１１への装着時に外栓１１の直径線上２箇所の係止部２９に内側から弾性係合することで、操作部２１ｂは、内栓１２を外栓１１への装着位置に係止し、前記弾性係合を内側Ｙに外す操作部および内栓１２を着脱するときのつまみ部をなす操作つまみ部４３が滑り止め用の凸条部４３ａを有して直径線Ｘ上の相対向位置に設けられ、この操作つまみ部４３が、内栓１２におけるキャップ６との間接的な図２に示す当接関係部Ｐを持つようにしている。このように、係止部材２１が内栓１２の外周部の相対抗する直径線Ｘ上の２箇所に１対あって外栓１１に内側から弾性係合することにより内栓１２を外栓１１への装着状態に安定に係止できる。しかも、１対の各係止部材２１はそれぞれの操作つまみ部４３を内栓１２の直径線Ｘ上の２箇所に相対向して位置させ、片手の親指と人差し指または薬指との対向し合う指どうしで内側Ｙ方向に引き寄せて前記弾性係合を内側に外す操作を同時に行わせ、また、そのまま内栓１２をつまみ持って取り外し、また、逆に外栓１１に装着させられるので、着脱が簡単に行える。さらに、操作つまみ部４３は内栓１２が外栓１１に対し浮いているときボトル本体１に装着されるキャップ６と当接して内栓１２が装着位置まで押し込まれる当接関係部Ｐをなすので、内栓１２、外栓１１に対し最もキャップ６側に張り出した存在となり操作しやすさに繋がる。
【００２７】
しかも、操作つまみ部４３のキャップ６との当接関係部Ｐが、操作つまみ部４３の上面の前記直径線Ｘ方向に平行な両側に設けられた図２、図３に示すような凸条部４３ａとしてある。このように、操作つまみ部４３はその前記直径線Ｘ方向に平行な両側の凸条４３ａ部がキャップ６との当接関係部Ｐをなしていることにより、凸条４３ａ部が操作つまみ部４３から最も張り出す部分をなして、操作つまみ部４３の表面において内栓１２の周方向での操作位置を示す指ガイドなどとして役立つ。また、操作つまみ部４３は図２、図３に示すように、内栓１２の外周の外方へ張り出し、その張り出し端に縦向きの操作つまみ壁４３ｂが外栓１１の外周面に臨むようにしている。このような操作つまみ部４３の内栓１２の外周から張り出し、外栓１１の外周面に臨んでいる縦向きの操作つまみ壁４３ｂは、係合解除操作および内栓１２の挟み持ちに対しカウンタ面をなして外栓１１、内栓１２に邪魔されることなく、係合解除動作や挟み持ち動作を操作する指との間に逃げや滑りなくしっかり受け止めて、係合解除位置まで応動して以降その係止解除状態を保ったまま内栓１２のつまみ状態に自然に移行し、係止解除された内栓１２を外栓１１から難なく取り外すことができる。また、取り外している内栓１２を１対の操作つまみ壁４３ｂにより、例えば係止部材２１の係合解除操作位置にてつまみ持って外栓１１に装着し、この装着状態を維持しながら操作つまみ壁４３ｂを解放することにより係止部材２１が係合位置に復帰して外栓１１に係合し内栓１２を外栓１１への装着位置に係止するので、内栓１２の外栓１１に対する着脱操作が容易に行える。
【００２８】
蓋１６は図１、図４（ｂ）に示すように内栓１２に対し軸５１で枢支されたレバー部材としてあり、内栓１２内に位置する尾端部１６ａを操作部材２２により図１、図４（ａ）に示す状態から図４（ｂ）に示すように押し下げ操作されてストッパ４２ａに当接するまで開き、この開き動作に連動して上向きの閉じ習性を有する弁体１４を下動させて開き、共に開き位置に安定するカム５２を尾端部１６ａに有したものとし、操作部材２２はばね５３により上動復帰させるように付勢してある。カム５２は操作部材２２による蓋１６の開き操作によって弁体１４を弁棒１４ａを介し押し下げて開く弁開き操作部５２ａと、蓋１６の開き終期に弁体１４を開き位置に保持し、かつ蓋１６を開き位置に安定させる開き保持部５２ｂとを有し、開き保持部５２ｂは軸５１を中心とした円弧面をなし、弁棒１４
ａの下方からの圧接によっても回動させられないし、カム５２の開き操作部５２ａと開き保持部５２ｂとの間のコーナ部５２ｃが、カム５２に圧接する弁棒１４ａにより蓋１６が閉じ側および開き側のいずれにも回動されない中立部をなし、弁棒１４ａの圧接位置がコーナ部５２ｃから開き操作部５２ａの側に外れると、弁体１４および蓋１６は弁体１４のばね２３により閉じられ、開き保持部５２ｂ側に外れると、弁体１４のばね２３により開き位置に保持されるようにしている。操作部材２２のばね５３は操作部材２２が蓋１６の閉じ動作に連動させるためのものである。これは、操作部材２２の初期開き操作に際し操作部材２２と蓋１６との間に遊びＳ１を与えて、開き操作がスムーズに行われるようにしてあって、蓋１６の閉じ位置への復帰によっても操作部材２２が初期位置に復帰できないのをばね５３で補うためである。従って、ばね５３のばね力は弱く弁体１４のばね２３による弁体１４および蓋１６の開き位置への保持に影響しない。
【００２９】
このように、蓋１６が操作部材２２によって、弁体１４は蓋１６によって、それぞれ蓋１６の軸５１による枢支部を中心としたレバー動作と蓋１６のレバー尾端部１６ａのカム５２を利用した駆動、従動関係にて最適な連動条件を満足して、操作部材２２の１つの操作で蓋１６および弁体１４を開き操作し、かつ開き位置に保持することができ、図４（ｂ）に示す開き位置にある蓋１６を弁体１４のばね２３に抗し少し押し下げ、弁棒１４ａがカム５２の開き保持部５２ｂからコーナ部５２ｃを越えて開き操作部５２ａ側に当接位置が変位すると、蓋１６はばね２３の付勢によって弁体１４とともに閉じられる。従って、蓋１６を締め忘れてキャップ６を装着しても、蓋１６はキャップ６により閉じ側に押動されて弁体１４とともに閉じることになる。
【００３０】
また、係止部材２１のレバー部２７は図２に示すように、係合部２１ｃが突片状に突出して形成され、内栓１２を外栓１１に上方から嵌め合わせて装着するとき、先端部の下向き斜面２１ｄが外栓１１の外筒３１の係止部２９上縁に当接してレバー部２７を伴い樹脂ばね部２６に抗し後退しながら係止部２９上縁を乗り越えて後、レバー部２７の樹脂ばね部２６による復帰によって係止部２９下縁に自動的に係合できるようにしてあり、１対の操作部２１ｂ、つまり１対の操作つまみ部４３によって内栓１２をつまみ持って外栓１１へ装着するのに、係止部材２１を係合解除位置に操作していなくても上方から軽く押し付けながら嵌め合わせるだけでよく、内栓１２が例えば係止部２９上に係合部２１ｃが載る状態に外栓１１から万一にも浮いた状態でキャップ６が装着されても、キャップ６との当接関係によって難なく装着状態にされて装着位置に確実に係止されるようになる。
【００３１】
このような係止構造を満足して、しかも操作つまみ部４３による外筒３１外面からの係合解除操作が、コンパクトな構造で実現するように、レバー部２７はその係合部２１ｃのすぐ上にコの字状の操作つまみ部４３を設けて、外筒３１の上端から係止部２９まで達するように形成した図２、図３に示すような切り欠き部６２を通じて外筒３１の外周面、つまり外栓１１の外周面に臨ませてあり、操作つまみ部４３と内栓１２との干渉少なく操作つまみ壁４３ｂが外栓１１の外周面に臨み、凸条部４３ａを有した内側横向きの上部片４３ｄが内栓１２の上面に臨んでいる。この結果、操作つまみ部４３および係合部２１ｃとはＳ字形状になっている。これに対応して内栓１２の上面には操作つまみ部４３の係止解除位置を規制するストッパ７１を形成してあり、操作つまみ部４３をストッパ７１で受け止めて、係止解除状態で内栓１２を安定につまめるようになる。
【００３２】
さらに、内栓１２の中空部は図１、図４（ａ）（ｂ）に示すように弁体１４を支持している中間底部４１ａに対し段部４１ｃをなしてさらに低くなる底部４１ｂを設けて、この底部４１ｂで操作部材２２のばね５３を受けるようにしてあり、ばね２３が働く弁体１４とばね５３が働く操作部材２２とを小さなスペースに収まるようにしている。また、蓋１６には図１、図３、図４（ａ）（ｂ）に示すようなシールパッキン６１を嵌め付けるなどして設け、注ぎ口１３ａを密に閉じられるようにしている。これにより保温性が高まるし
、万一導出室１３に内容液が残っているようなばあいでも、それが漏れ出るようなことを防止することができる。
【産業上の利用可能性】
【００３３】
本発明は、保温ボトルに実用でき、分解できる栓の組立て不備なく使用して断熱性のよい施栓ができる。
【符号の説明】
【００３４】
１ ボトル本体
１ａ 口部
２ 真空断熱空間
３ 栓
４、８ 雄ねじ
５、７ 雌ねじ
６ キャップ
１１ 外栓
１２ 内栓
１３ 導出室
１３ａ 注ぎ口
１３ｂ 流入口
１３ｃ 底部
１４ 弁体
１５ 操作室
１６ 蓋
１６ａ 尾端部
１５ａ 底部
２１ 係止部材
２１ａ 軸
２１ｂ 操作部
２１ｃ 係合部
２２ 操作部材
２３、５３ ばね
２６ 樹脂ばね部
２７ レバー部
２９ 係止部
３１ 外筒
３２、３４、６１ シールパッキン
４１ 本体部
４２ 蓋部
４３ 操作つまみ部
４３ａ 凸条部
４３ｂ 操作つまみ壁
５１ 軸
５２ カム
Ｐ、Ｑ 当接関係部
Ｓ 遊び
【図１】
2010100343.tif 000003
【図２】
2010100343.tif 000004
【図３】
2010100343.tif 000005
【図４】
2010100343.tif 000006